(57)【要約】【課題】  設計者の家相・風水に関する知識を支援し、手戻りが少なく効率的に住宅プランを設計でき、家相・風水をふまえた提案書の作成が容易な家相・風水をふまえた住宅プラン提案システム及び住宅プラン提案方法を提供する。【解決手段】  本家相・風水をふまえた住宅プラン提案システム１は、設計者が使用する端末機３と、サーバ２と、プリンタ６とが相互に通信ネットワーク７を介して接続されており、サーバ２は、予め家相・風水情報を記憶した家相・風水情報データベース２４と、該家相・風水情報に基づいて、前記個人情報、敷地情報、及び建物情報を診断し、前記個人情報、敷地情報、及び住宅プランと、前記診断結果とを所定形式に編集して前記提案情報を作成する制御部２０と、前記個人情報、敷地情報、建物情報、及び住宅プランと、制御部２０による診断結果とを記憶するＨＤ２５と、を備える。【選択図】      図１
2006039710.tif 000002
【特許請求の範囲】
【請求項１】
設計者が使用する端末機と、家相・風水に基づく診断及び提案情報の編集処理を行うサーバと、前記提案情報を提案書として印刷するプリンタとが相互に通信ネットワークを介して接続されてなる住宅プラン提案システムであって、
前記端末機は、施主の個人情報、敷地情報、建物情報、及び住宅プランを入力するための入力手段と、入力された前記個人情報、敷地情報、建物情報、及び住宅プランと、前記サーバによる家相・風水に基づく診断結果と、前記サーバにより所定形式に編集された提案情報とを表示する表示手段と、を備え、
前記サーバは、予め家相・風水情報を記憶した第１記憶手段と、該家相・風水情報に基づいて、前記個人情報、敷地情報、及び建物情報を診断する診断手段と、前記個人情報、敷地情報、建物情報、及び住宅プランと、前記診断手段による診断結果とを記憶する第２記憶手段と、該第２記憶手段が記憶した前記個人情報、敷地情報、及び住宅プランと、前記診断結果とを所定形式に編集して前記提案情報を作成する編集手段と、を備えることを特徴とする家相・風水をふまえた住宅プラン提案システム。
【請求項２】
前記通信ネットワークには、スキャナが接続されており、
前記個人情報は、前記スキャナが読取った施主回答アンケートの画像データに基づいて前記入力手段から入力されることを特徴とする請求項１記載の家相・風水をふまえた住宅プラン提案システム。
【請求項３】
前記診断手段は、前記建物情報に対して少なくとも家の重心計算、鬼門及び裏鬼門の算出、張り欠けの診断をすることを特徴とする請求項１又は２記載の家相・風水をふまえた住宅プラン提案システム。
【請求項４】
設計者が使用する端末機と、家相・風水に基づく診断及び提案情報の編集処理を行うサーバと、前記提案情報を提案書として印刷するプリンタとが相互に通信ネットワークを介して接続されてなる住宅プラン提案システムを用いて、営業担当者により施主から得られた情報に対して家相・風水に基づく診断をし、その診断結果をもとに住宅プランを作成し、該診断結果と住宅プランとを含む提案情報を営業担当者が提案書として施主に提示する住宅プラン提案方法であって、
前記設計者が、前記端末機から施主の個人情報及び敷地情報を入力し、
前記サーバが、前記個人情報及び敷地情報を記憶するとともに、予め記憶した家相・風水情報に基づいて前記個人情報及び敷地情報を診断して、その診断結果を記憶し、
前記端末機が、前記個人情報及び敷地情報の診断結果を表示し、
前記設計者が、前記端末機から前記敷地情報に基づいて建物情報を入力し、
前記サーバが、前記家相・風水情報に基づいて前記建物情報を診断して、その診断結果を記憶し、
前記端末機が、前記建物情報の診断結果を表示し、
前記設計者が、前記建物情報の診断結果に基づいて前記建物情報を修正した場合に、前記サーバが、前記家相・風水情報に基づいて修正された前記建物情報を診断して、既に記憶している診断結果をあらたに得た診断結果に更新するとともに、前記端末機が、更新された前記建物情報の診断結果を表示し、
前記設計者が、前記端末機から前記建物情報と、前記個人情報、敷地情報、及び建物情報の診断結果とに基づいて住宅プランを入力し、
前記サーバが、前記住宅プランを記憶するとともに、記憶した前記個人情報、敷地情報、及び住宅プランと、前記個人情報、敷地情報、及び建物情報の診断結果とを所定形式に編集して前記提案情報を作成し、
前記端末機が、前記提案情報を表示し、
前記プリンタが、前記提案情報を提案書として印刷することを特徴とする住宅プラン提案方法。
【請求項５】
前記通信ネットワークには、スキャナが接続されており、
前記個人情報は、前記スキャナが読取った施主回答アンケートの画像データに基づいて前記設計者によって入力されることを特徴とする請求項４記載の住宅プラン提案方法。
【請求項６】
前記サーバが、前記建物情報に対して少なくとも家の重心計算、鬼門及び裏鬼門の算出、張り欠けを診断することを特徴とする請求項４又は５記載の住宅プラン提案方法。
【発明の詳細な説明】
【技術分野】
【０００１】
本発明は、家相・風水を重視する施主の要望に応える住宅プランを提案する家相・風水をふまえた住宅プラン提案システム及び住宅プラン提案方法に関する。
【背景技術】
【０００２】
住宅メーカーでは、施主の意向に沿った住宅の実現に向けて、契約が成立するまでに以下のように業務を進めていく。まず、営業担当者がさまざまな趣味・嗜好を持つ施主と打ち合わせをして施主から理想の住宅像やライフスタイルをインタビューやアンケートにより聞き出し、営業担当者が施主から聞き出した内容を伝達された設計者（設計者から指示を受けて図面等の入力を行うＣＡＤオペレータを含む。）が住宅の平面図（以下、「住宅プラン」という。）、立面図、断面図等を設計・作図をする。そして、設計・作図した住宅プラン等の図面をもとに見積りをし、住宅プラン等の図面を含む提案書と見積りを営業担当者が施主に提示する。営業担当者が提示した提案書と見積りに対する施主の意見や意向を伺い、その意見や意向を伝達された設計者が設計にフィードバックして住宅プラン等を修正する。施主が住宅プラン等を承認すると、最終的な住宅プラン等が確定し、住宅メーカーは施主との契約成立に至る。
【０００３】
施主の中には、家相や風水を重視する人もいる。家相とは、本来は、家の中に充満している五感に触れない「気」の作用のことであり、また、家の位置、向き、間取り等から吉凶を占うものとして知られている。風水とは、本来は、天地のエネルギーである「気」の流れのことで、風土、水勢から住居、埋葬の地を選定するものであるが、今日ではインテリアにも風水の考え方が用いられ吉凶を占うものとして知られている。家相は、元は風水から生まれたものであり、家相と風水の境界があいまいな点もあるので、本発明では、上記のような家の位置、向き、間取りや、インテリアの吉凶を占うものを家相・風水という。
【０００４】
例えば、家相・風水を重視する施主は、営業担当者から提案された住宅プランを家相・風水を鑑定している専門家に相談したり、また、勉強熱心な施主は、書籍やインターネットで家相・風水に関する情報や知識を自ら入手したり、インターネット上の家相・風水に基づく診断（以下、「家相・風水診断」ともいう。）ができるサイトの診断サービスを利用して検討することがある。
【０００５】
また、家具・インテリアの購入者や購入希望者に生年、性別等の個人情報や、設置する家具・インテリアの種別、サイズ、部屋の間取りや方位等の前記家具・インテリアを設置する空間の条件を入力してもらい、入力された個人情報や空間の条件より、家相・風水をふまえた家具・インテリアなどの物品の配置情報を提供するものもある（特許文献１参照）。これにより、家相・風水を重視する購入者や購入希望者は、購入にあたって、家相・風水をふまえた家具・インテリアなどの物品の配置情報を知ることができる。
【０００６】
【特許文献１】特開２００２−１５７３５２号公報
【発明の開示】
【発明が解決しようとする課題】
【０００７】
しかし、住宅プラン提案後に、施主が独自に家相・風水の専門家に相談したり、書籍やインターネットから独学で得た家相・風水に関する情報や知識に基づいて住宅プランを検討したり、インターネット上の家相・風水診断サイトによる診断サービスを利用して検討する場合、専門家への相談や検討に時間がかかるため、最終的な住宅プランの確定が遅くなり、契約成立までに時間がかかるという問題点がある。また、施主にとっても、専門家への相談や検討は、時間やコストの負担が大きい。また、住宅プラン提案後に施主から家相・風水上の問題点を指摘され、大幅に設計変更することになると、手戻りが大きく設計作業の効率が大変悪く、最終的な住宅プランの確定が更に遅くなることが懸念される。上記のような問題を回避するためには、設計者が家相・風水の専門知識を身につけておくことが考えられるが、家相・風水に関する知識領域は広範であり、すべての設計者が家相・風水の専門知識を身につけるのは、時間も労力もかかり、現実的には困難である。また、インターネット上の家相・風水診断サイトによる診断サービスでは、新築時における家相・風水診断をし、住宅プランを提案するものは見当たらない。
【０００８】
また、上記したように、家相・風水をふまえた家具・インテリアの配置情報を提供するものはあるが、敷地や建物に対して家相・風水に基づく診断をし、診断結果や住宅プランをまとめた提案書を作成するものはなかった。
【０００９】
本発明は、上記の課題に鑑みてなされたものであり、設計者の家相・風水に関する知識を支援し、手戻りが少なく効率的に住宅プランを設計でき、家相・風水をふまえた提案書の作成が容易な家相・風水をふまえた住宅プラン提案システム及び住宅プラン提案方法を提供することを目的とする。
【課題を解決するための手段】
【００１０】
上記目的を達成するために、請求項１記載の家相・風水をふまえた住宅プラン提案システムは、設計者が使用する端末機と、家相・風水に基づく診断及び提案情報の編集処理を行うサーバと、前記提案情報を提案書として印刷するプリンタとが相互に通信ネットワークを介して接続されてなる住宅プラン提案システムであって、前記端末機は、施主の個人情報、敷地情報、建物情報、及び住宅プランを入力するための入力手段と、入力された前記個人情報、敷地情報、建物情報、及び住宅プランと、前記サーバによる家相・風水に基づく診断結果と、前記サーバにより所定形式に編集された提案情報とを表示する表示手段と、を備え、前記サーバは、予め家相・風水情報を記憶した第１記憶手段と、該家相・風水情報に基づいて、前記個人情報、敷地情報、及び建物情報を診断する診断手段と、前記個人情報、敷地情報、建物情報、及び住宅プランと、前記診断手段による診断結果とを記憶する第２記憶手段と、該第２記憶手段が記憶した前記個人情報、敷地情報、及び住宅プランと、前記診断結果とを所定形式に編集して前記提案情報を作成する編集手段と、を備えることを特徴としている。
【００１１】
請求項２記載の家相・風水をふまえた住宅プラン提案システムは、請求項１記載の家相・風水をふまえた住宅プラン提案システムにおいて、前記通信ネットワークには、スキャナが接続されており、前記個人情報は、前記スキャナが読取った施主回答アンケートの画像データに基づいて前記入力手段から入力されることを特徴としている。
【００１２】
請求項３記載の家相・風水をふまえた住宅プラン提案システムは、請求項１又は２記載の家相・風水をふまえた住宅プラン提案システムにおいて、前記診断手段は、前記建物情報に対して少なくとも家の重心計算、鬼門及び裏鬼門の算出、張り欠けの診断をすることを特徴としている。
【００１３】
請求項４記載の住宅プラン提案方法は、設計者が使用する端末機と、家相・風水に基づく診断及び提案情報の編集処理を行うサーバと、前記提案情報を提案書として印刷するプリンタとが相互に通信ネットワークを介して接続されてなる住宅プラン提案システムを用いて、営業担当者により施主から得られた情報に対して家相・風水に基づく診断をし、その診断結果をもとに住宅プランを作成し、該診断結果と住宅プランとを含む提案情報を営業担当者が提案書として施主に提示する住宅プラン提案方法であって、前記設計者が、前記端末機から施主の個人情報及び敷地情報を入力し、前記サーバが、前記個人情報及び敷地情報を記憶するとともに、予め記憶した家相・風水情報に基づいて前記個人情報及び敷地情報を診断して、その診断結果を記憶し、前記端末機が、前記個人情報及び敷地情報の診断結果を表示し、前記設計者が、前記端末機から前記敷地情報に基づいて建物情報を入力し、前記サーバが、前記家相・風水情報に基づいて前記建物情報を診断して、その診断結果を記憶し、前記端末機が、前記建物情報の診断結果を表示し、前記設計者が、前記建物情報の診断結果に基づいて前記建物情報を修正した場合に、前記サーバが、前記家相・風水情報に基づいて修正された前記建物情報を診断して、既に記憶している診断結果をあらたに得た診断結果に更新するとともに、前記端末機が、更新された前記建物情報の診断結果を表示し、前記設計者が、前記端末機から前記建物情報と、前記個人情報、敷地情報、及び建物情報の診断結果とに基づいて住宅プランを入力し、前記サーバが、前記住宅プランを記憶するとともに、記憶した前記個人情報、敷地情報、及び住宅プランと、前記個人情報、敷地情報、及び建物情報の診断結果とを所定形式に編集して前記提案情報を作成し、前記端末機が、前記提案情報を表示し、前記プリンタが、前記提案情報を提案書として印刷することを特徴としている。
【００１４】
請求項５記載の住宅プラン提案方法は、請求項４記載の住宅プラン提案方法において、前記通信ネットワークには、スキャナが接続されており、前記設計者が、前記スキャナが読取った施主回答アンケートの画像データに基づいて前記施主の個人情報を前記端末機から入力することを特徴としている。
【００１５】
請求項６記載の住宅プラン提案方法は、請求項５又は６記載の住宅プラン提案方法において、前記サーバが、前記建物情報に対して少なくとも家の重心計算、鬼門及び裏鬼門の算出、張り欠けを診断することを特徴としている。
【発明の効果】
【００１６】
本発明の請求項１の家相・風水をふまえた住宅プラン提案システムによれば、設計者が使用する端末機と、家相・風水に基づく診断及び提案情報の編集処理を行うサーバと、前記提案情報を提案書として印刷するプリンタとが相互に通信ネットワークを介して接続されてなる住宅プラン提案システムであって、前記端末機は、施主の個人情報、敷地情報、建物情報、及び住宅プランを入力するための入力手段と、入力された前記個人情報、敷地情報、建物情報、及び住宅プランと、前記サーバによる家相・風水に基づく診断結果と、前記サーバにより所定形式に編集された提案情報とを表示する表示手段と、を備え、前記サーバは、予め家相・風水情報を記憶した第１記憶手段と、該家相・風水情報に基づいて、前記個人情報、敷地情報、及び建物情報を診断する診断手段と、前記個人情報、敷地情報、建物情報、及び住宅プランと、前記診断手段による診断結果とを記憶する第２記憶手段と、該第２記憶手段が記憶した前記個人情報、敷地情報、及び住宅プランと、前記診断結果とを所定形式に編集して前記提案情報を作成する編集手段と、を備えるので、施主の家相・風水を鑑定している専門家への相談や検討に要する時間を省略でき、営業担当者と施主との打ち合わせから最終的な住宅プラン確定までの時間を短縮することができ、迅速な契約の成立が可能となる。また、家相・風水診断を設計の初期段階である敷地情報入力後から行うことができ、設計者の家相・風水に関する知識を支援することができ、手戻りが少なく効率的に住宅プランの設計作業をすすめることができる。更に、営業担当者は、家相・風水を重視する施主に対して、家相・風水をふまえて住宅プランとインテリアをトータルに提案する提案書を提示することができ、安心感や幸福感といった顧客満足度の高いサービスを提供することができ、引いては受注増大につなげることができる。
【００１７】
請求項２の家相・風水をふまえた住宅プラン提案システムによれば、請求項１記載の家相・風水をふまえた住宅プラン提案システムの効果に加えて、前記通信ネットワークには、スキャナが接続されており、前記個人情報は、前記スキャナが読取った施主回答アンケートの画像データに基づいて前記入力手段から入力されるので、営業担当者と設計者が離れた場所にいる場合、営業担当者がスキャナで読取った施主回答アンケートの画像データを設計者に送信した方が、施主回答アンケートを郵送で送付するよりも早く、ファクシミリ送信するよりも鮮明な画像で設計者の手元に届けることができ、設計者が施主回答アンケートに記載された個人情報を早く、確実に入力することができる。また、施主回答アンケートに施主の顔写真が添付されている場合、読取った顔写真の画像データを提案情報を編集する際に利用することができる。
【００１８】
請求項３の家相・風水をふまえた住宅プラン提案システムによれば、請求項１又は２記載の家相・風水をふまえた住宅プラン提案システムの効果に加えて、前記診断手段は、前記建物情報に対して少なくとも家の重心計算、鬼門及び裏鬼門の算出、張り欠けの診断をするので、家相・風水を重視する施主に対して少なくとも家の重心計算、鬼門及び裏鬼門の算出、張り欠けを診断した住宅プランを提案することができる。
【００１９】
請求項４の住宅プラン提案方法によれば、設計者が使用する端末機と、家相・風水に基づく診断及び提案情報の編集処理を行うサーバと、前記提案情報を提案書として印刷するプリンタとが相互に通信ネットワークを介して接続されてなる住宅プラン提案システムを用いて、営業担当者により施主から得られた情報に対して家相・風水に基づく診断をし、その診断結果をもとに住宅プランを作成し、該診断結果と住宅プランとを含む提案情報を営業担当者が提案書として施主に提示する住宅プラン提案方法であって、前記設計者が、前記端末機から施主の個人情報及び敷地情報を入力し、前記サーバが、前記個人情報及び敷地情報を記憶するとともに、予め記憶した家相・風水情報に基づいて前記個人情報及び敷地情報を診断して、その診断結果を記憶し、前記端末機が、前記個人情報及び敷地情報の診断結果を表示し、前記設計者が、前記端末機から前記敷地情報に基づいて建物情報を入力し、前記サーバが、前記家相・風水情報に基づいて前記建物情報を診断して、その診断結果を記憶し、前記端末機が、前記建物情報の診断結果を表示し、前記設計者が、前記建物情報の診断結果に基づいて前記建物情報を修正した場合に、前記サーバが、前記家相・風水情報に基づいて修正された前記建物情報を診断して、既に記憶している診断結果をあらたに得た診断結果に更新するとともに、前記端末機が、更新された前記建物情報の診断結果を表示し、前記設計者が、前記端末機から前記建物情報と、前記個人情報、敷地情報、及び建物情報の診断結果とに基づいて住宅プランを入力し、前記サーバが、前記住宅プランを記憶するとともに、記憶した前記個人情報、敷地情報、及び住宅プランと、前記個人情報、敷地情報、及び建物情報の診断結果とを所定形式に編集して前記提案情報を作成し、前記端末機が、前記提案情報を表示し、前記プリンタが、前記提案情報を提案書として印刷するので、施主の家相・風水を鑑定している専門家への相談や検討に要する時間を省略でき、営業担当者と施主との打ち合わせから最終的な住宅プラン確定までの時間を短縮することができ、迅速な契約の成立が可能となる。また、家相・風水診断を設計の初期段階である敷地情報入力後から行うことができ、設計者の家相・風水に関する知識を支援することができ、手戻りが少なく効率的に住宅プランの設計作業をすすめることができる。更に、営業担当者は、家相・風水を重視する施主に対して、家相・風水をふまえて住宅プランとインテリアをトータルに提案する提案書を提示することができ、安心感や幸福感といった顧客満足度の高いサービスを提供することができ、引いては受注増大につなげることができる。
【００２０】
請求項５の住宅プラン提案方法によれば、請求項４記載の住宅プラン提案方法の効果に加えて、前記通信ネットワークには、スキャナが接続されており、前記設計者が、前記スキャナが読取った施主回答アンケートの画像データに基づいて前記施主の個人情報を前記端末機から入力するので、営業担当者と設計者が離れた場所にいる場合、営業担当者がスキャナで読取った施主回答アンケートの画像データを設計者に送信した方が、施主回答アンケートを郵送で送付するよりも早く、ファクシミリ送信するよりも鮮明な画像で設計者の手元に届けることができ、設計者が施主回答アンケートに記載された個人情報を早く、確実に入力することができる。また、施主回答アンケートに施主の顔写真が添付されている場合、読取った顔写真の画像データを提案情報を編集する際に利用することができる。
【００２１】
請求項６の住宅プラン提案方法によれば、請求項４又は５記載の住宅プラン提案方法の効果に加えて、前記サーバが、前記建物情報に対して少なくとも家の重心計算、鬼門及び裏鬼門の算出、張り欠けを診断するので、家相・風水を重視する施主に対して少なくとも家の重心計算、鬼門及び裏鬼門の算出、張り欠けを診断した住宅プランを提案することができる。
【発明を実施するための最良の形態】
【００２２】
以下、本発明の実施の形態を図面に基づき具体的に説明する。
図１は、本発明の実施の形態に係る家相・風水をふまえた住宅プラン提案システム１の概略構成を示すものである。本家相・風水をふまえた住宅プラン提案システム１は、図示するように、サーバ２、端末機３、営業端末機４に接続されたスキャナ５及びプリンタ６が、相互にインターネットやＬＡＮ（Local Area Network）を含む通信ネットワーク７を介して通信可能に接続されている。本実施の形態では、サーバ２及び端末機３は住宅メーカーの本社に、営業端末機４、スキャナ５及びプリンタ６は営業所に設置されているものとする。
【００２３】
サーバ２は、制御部（ＣＰＵ：Central Processing Unit）２０、ＲＯＭ（Read Only Memory）２１、ＲＡＭ（Random Access Memory）２２、通信部２３、家相・風水情報データベース２４、及びＨＤ（Hard Disk）２５を備えており、各部２０乃至２５はバス２６によって通信可能に接続されている。サーバ２は、これらの構成によって家相・風水に基づく診断及び提案情報の編集処理を行う。
【００２４】
制御部２０は、ＲＯＭ２１に格納された制御プログラム２７に従って、サーバ２を構成する各部を制御する。ＲＯＭ２１には、制御プログラム２７、家相・風水診断機能付ＣＡＤプログラム２８、提案情報編集プログラム２９等が予め格納されている。この制御プログラム２７は、制御部２０によってサーバ２の各部が制御されるためのものである。家相・風水診断機能付ＣＡＤプログラム２８は、家相・風水に基づく診断をする機能を備えており、図面を作成する際に使用されるものである。提案情報編集プログラム２９は、提案情報の編集をする際に使用されるものである。ＲＡＭ２２は、制御部２０の主メモリ、ワークエリア等として機能するものである。
【００２５】
通信部２３は、サーバ２と通信ネットワーク７を通信可能に接続するインターフェース部であり、図示しないが、ＬＡＮやインターネットに接続するためのＬＡＮ Ｉ／Ｆ（Local Area Network Interface）やルータ等備えている。
【００２６】
家相・風水情報データベース２４は、敷地の形状、真北、接道状況等の敷地周辺の環境、家の重心に対する鬼門及び裏鬼門、家相方位、張り欠けに関するデータや、金運、健康運、結婚運等の特に重視する運勢に対するインテリアのポイントといったデータを予め記憶しており、予め家相・風水情報を記憶した第１記憶手段として機能する。なお、家相・風水情報データベース２４には、上記したデータ以外の家相・風水に関するデータも記憶していてよい。
【００２７】
ＨＤ２５は、端末機３から入力された個人情報、敷地情報、建物情報、及び住宅プランと、サーバ２の家相・風水診断による個人情報、敷地情報、及び建物情報の診断結果とを記憶する第２記憶手段として機能する。この個人情報とは、施主の氏名、生年月日、特に重視する運勢、家族構成のことである。敷地情報とは、計画地である敷地の形状、真北、接道状況等の敷地周辺の環境のことである。建物情報とは、計画する家の外形のことであり、家の外形となる壁の壁芯を結んで表される。住宅プランとは、所謂平面図のことであり、所用諸室が配置された間取りや窓等の開口部、家具や植栽等が表現されたものである。
【００２８】
端末機３は、本社に設置され、設計者が使用する汎用のパーソナルコンピュータである。この端末機３は、キーボード３０、マウス３１、及びモニタ３２を備えている。キーボード３０及びマウス３１は、それぞれ汎用のキーボード及びマウスであり、施主の個人情報、敷地情報、建物情報、及び住宅プランを入力するための入力手段として機能する。モニタ３２は、汎用のモニタであり、入力された個人情報、敷地情報、建物情報、及び住宅プランと、サーバ２による家相・風水に基づく診断結果と、サーバ２により編集された提案情報とを表示する表示手段として機能する。この提案情報とは、ＨＤ２５に記憶された個人情報、敷地情報、住宅プラン、個人情報の診断結果、敷地情報の診断結果、及び建物の診断結果を所定形式に編集したものである。
【００２９】
営業端末機４、スキャナ５及びプリンタ６は、営業所に設置されるそれぞれ汎用のパーソナルコンピュータ、スキャナ及びプリンタである。営業端末機４は、スキャナ５及びプリンタ６を通信ネットワーク７に接続するために用いられ、サーバ２や端末機３とのデータの送受信に用いられるものである。スキャナ５は、施主回答アンケートの画像データを読み取るために用いられるものである。施主回答アンケートとは、施主の個人情報や住宅メーカーからの質問事項に対する施主からの回答等が記載されたものであり、施主の顔写真を読み取ってその画像データを使用するには、施主の顔写真が添付されている方が好ましい。プリンタ６は、サーバ２により編集された提案情報を提案書として印刷する。すなわち、この提案書とは、提案情報を用紙に記録したものである。
【００３０】
なお、本発明は上記実施形態に限定されるものではなく、本発明の要旨の範囲内で種々の変形実施が可能である。例えば、本実施の形態では、サーバ２及び端末機３は、住宅メーカーの本社に設置されているが、通信ネットワーク７に接続されていれば、端末機３が支社又は営業所等のサーバ２と離れた場所に設置されていてもよく、その場合、本社に設計者を集中させることなく、人材を有効に活用することができる。また、スキャナ５及びプリンタ６は、営業所に設置されているが、営業担当者が本社にいる場合等は、スキャナ５及びプリンタ６が本社に設置されていてもよく、ＬＡＮ等の通信ネットワーク７を介してサーバ２や端末機３と接続されていれば、営業端末機４は設置しなくてもよい。
【００３１】
次に、本家相・風水をふまえた住宅プラン提案システム１を用いて実現される住宅プラン提案方法について説明する。図２及び図３は、本住宅プラン提案方法の各ステップを示したフローチャートである。
本住宅プラン提案方法では、家相・風水をふまえた住宅プラン提案システム１を用いて、営業担当者により施主から得られた情報に対して家相・風水に基づく診断をし、その診断結果をもとに住宅プランを作成し、該診断結果と住宅プランとを含む提案情報を営業担当者が提案書として施主に提示する。以下、詳細に説明する。
【００３２】
まず、施主と計画する住宅について打ち合わせをした営業担当者は、施主から施主回答アンケートの提出を受けると、該施主回答アンケートをスキャナ５で読み取る（Ｓ１）。そして、営業担当者は、読み取った施主回答アンケートの画像データを営業端末機４から端末機３に送信する。次いで、設計者は、施主の個人情報及び敷地情報を入力する（Ｓ２）。ここで、設計者は、端末機３が受信した前記画像データをモニタ３２に表示し、表示された施主回答アンケートの画像に基づいて、端末機３が備えるキーボード３０やマウス３１を用いて個人情報を入力する。また、計画地である敷地の測量図等から、図４に示すように、敷地情報、すなわち、敷地の形状、真北、及び接道状況等の敷地周辺の環境を入力する。この入力による作図作業は、サーバ２のＲＯＭ３に格納されている家相・風水診断機能付ＣＡＤプログラム２８に基づいて行われる。
【００３３】
サーバ２は、設計者が個人情報及び敷地情報を入力すると、入力された個人情報及び敷地情報をＨＤ２５に記憶するとともに、該個人情報及び敷地情報を家相・風水情報データベース２４に基づいて診断して、その診断結果を記憶する（Ｓ３）。この家相・風水に基づく診断は、制御部２０によりＲＯＭ３に格納されている家相・風水診断機能付ＣＡＤプログラム２８に従って行われる。この個人情報に対する家相・風水診断は、Ｓ３で記憶した個人情報の特に重視する運勢に対する家相・風水情報を家相・風水情報データベース２４より読み出すことにより行われる。読み出された家相・風水情報は、個人情報の診断結果としてＨＤ２５に記憶される。また、敷地情報に対する家相・風水診断は、入力された敷地情報より敷地と当該敷地と接している道路との位置関係を判断し、その位置関係に対する家相・風水情報を家相・風水情報データベース２４より読み出すことによって行われる。読み出された家相・風水情報は、敷地情報の診断結果としてＨＤ２５に記憶される。なお、サーバ２は、Ｓ１においてスキャナ６で読み取られた施主回答アンケートに施主の顔写真が添付されている場合、Ｓ３において個人情報とともに、前記顔写真の画像データもＨＤ２５に記憶する。そして、端末機３は、図５に示すように、個人情報及び敷地情報の診断結果をモニタ３２の画面に表示する（Ｓ４）。この個人情報及び敷地情報の診断結果は、キーボード３０及びマウス３１の操作によって、表示・非表示を選択できる。
【００３４】
設計者は、モニタ３２の画面に表示された個人情報及び敷地情報の診断結果を確認し、敷地情報に基づいて建物情報を入力する（Ｓ５）。この際、建物情報は、図６に示すように、家の外形となる壁の壁芯を結んだものとしてシングルラインで入力される。なお、家の外形を決定するために、所用諸室を入力してもよいが、本実施形態の建物情報として必要なのは家の外形のみである。サーバ２は、設計者が建物情報を入力すると、該建物情報を家相・風水情報データベース２４に基づいて診断して、その診断結果を記憶する（Ｓ６）。この家相・風水に基づく診断は、制御部２０によりＲＯＭ３に格納されている家相・風水診断機能付ＣＡＤプログラム２８に従って行われる。したがって、制御部２は、家相・風水情報データベース２４が予め記憶した家相・風水情報に基づいて、個人情報、敷地情報、及び建物情報を診断する診断手段として機能する。
【００３５】
この建物情報に対する家相・風水診断を具体的に説明すると、まず、入力された建物情報から家の重心を計算する。この家の重心の計算は、例えば、家の外形がＬ型をしている場合、家の外形を、図７（ａ）に示すように、２つの長方形になるように上下に二分し、それぞれの長方形の対角線の交点Ａ、Ｂを求める。次いで、家の外形を、図７（ｂ）に示すように、２つの長方形になるように左右に二分し、それぞれの長方形の対角線の交点Ｃ、Ｄを求める。このとき、家の重心は、図７（ｃ）に示すように、直線ＡＢと直線ＣＤの交点として求められる。なお、建物情報は、最終的な家の外形ではなく、あくまで家の外形のたたき台であるので、最終的には円弧等を含む複雑な外形となる場合でも近似した外形で入力される。次いで、鬼門及び裏鬼門の算出をする。鬼門とは、家の重心から北東の方角であり、一方、裏鬼門とは、逆に家の重心から南西の方角である。敷地情報として入力された真北と計算した家の重心をもとに、鬼門及び裏鬼門と、方位を２４分割した家相方位３３を算出する。そして、張り欠けに対する診断を行う。張りとは、図８（ａ）に示すように、家の一辺の長さの３分の１以内が張り出している場合をいい、一方、欠けとは、図８（ｂ）に示すように、家の一辺の長さの３分の２以内が欠け込んでいる場合をいう。入力された建物情報に対してこの張り欠けを算出し、その張り欠けに対する家相・風水情報を家相・風水情報データベース２４から読み出す。算出された鬼門及び裏鬼門と、張り欠けに対して読み出された家相・風水情報は、建物情報の診断結果としてＨＤ２５に記憶される。
【００３６】
端末機３は、図９に示すように、モニタ３２の画面に建物情報の診断結果を表示する（Ｓ７）。図示するように、建物情報の診断結果である鬼門及び裏鬼門と読み出された家相・風水情報とともに、家相方位３３が表示される。この表示された家相方位３３の十二支の名前部分をクリックすると、その方角における部屋等の用途による吉凶が表示される。例えば、「子」をクリックすると、「子…流し・その他の不浄物は不可。大吉…子供部屋・神棚・仏壇  吉…書斎・応接間・寝室・隠居部屋  凶…玄関・居間・トイレ・浴室・車庫  大凶…台所・門」といった情報が表示される。モニタ３２の画面に表示された鬼門及び裏鬼門、読み出された家相・風水情報、及び家相方位３３は、個人情報及び敷地情報の診断結果と同様に、キーボード３０及びマウス３１の操作によって、表示・非表示を選択できる。
【００３７】
モニタ３２の画面に表示された建物情報の診断結果を確認した設計者は、該診断結果に基づいて建物情報を修正するか否かを判断する（Ｓ８）。設計者は、建物情報を修正すると判断した場合（Ｓ８：ＹＥＳ）、建物情報を修正する（Ｓ９）。サーバ２は、修正された建物情報を家相・風水情報データベース２４に基づいて診断して、既に記憶している診断結果をあらたに得た診断結果に更新するとともに、端末機３は、モニタ３２の画面に更新された建物情報の診断結果を表示し（Ｓ１０）、Ｓ７以降のステップを行う。一方、設計者は、建物情報を修正しないと判断した場合は（Ｓ８：ＮＯ）、モニタ３２に表示された建物情報と、個人情報、敷地情報、及び建物情報の診断結果とに基づいて住宅プランを入力する（Ｓ１１）。この住宅プランの入力中も、設計者は、表示された個人情報、敷地情報、及び建物情報の診断結果と、家相方位３３の表示・非表示を選択できる。また、設計者は、住宅プランを設計する際のプランニングに対するコメントを入力することができる。
【００３８】
サーバ２は、設計者が住宅プラン及びプランニングに対するコメントを入力すると、入力された住宅プラン及びプランニングに対するコメントをＨＤ２５に記憶するとともに、ＨＤ２５に記憶した個人情報、敷地情報、及び住宅プランと、個人情報、敷地情報、及び建物情報の診断結果とを所定形式に編集して提案情報を作成する（Ｓ１２）。サーバ２は、図１０に示すように、ＨＤ２５に記憶されたデータを読み出し、読み出したデータを所定領域に配置することにより所定形式に編集して提案情報を作成する。この所定形式には６つのデータ配置領域があり、個人情報や施主の顔写真の画像データを配置する領域３４、「インテリアのポイント」として個人情報の診断結果を配置する領域３５、敷地情報、建物の診断結果である鬼門及び裏鬼門、住宅プランを配置する領域３６、「敷地の診断」として敷地情報の診断結果を配置する領域３７、「建物の診断」として建物の診断結果である張り欠けに対して読み出された家相・風水情報を配置する領域３８、及び、「プランニングの要点」として住宅プランの設計を行った設計者からのプランニングに対するコメントを配置する領域３９で構成される。この提案情報の編集処理は、制御部２０によりＲＯＭ３に格納されている提案情報編集プログラム２９に従って行われる。したがって、制御部２は、ＨＤ２５が記憶した個人情報、敷地情報、及び住宅プランと、個人情報、敷地情報、及び建物情報の診断結果とを所定形式に編集して提案情報を作成する編集手段として機能する。編集処理が終了すると、端末機３は、図１１に示すように、モニタ３２に提案情報を表示する（Ｓ１３）。
【００３９】
モニタ３２に表示された提案情報を確認した設計者は、この提案情報を営業端末機４に送信し、営業担当者は、送信された提案情報の出力指示を営業端末機４から入力し、プリンタ６が提案情報を提案書として出力する（Ｓ１４）。なお、確認した提案情報に不備等がある場合は、設計者は、この提案情報を修正できるものとする。そして、営業担当者は、出力した提案書を施主に提示する。（Ｓ１５）。
【００４０】
このように、本住宅プラン提案方法によれば、施主の家相・風水を鑑定する専門家への相談や検討に要する時間を省くことができ、営業担当者と施主との打ち合わせから最終的な住宅プラン確定までの時間を短縮することができ、迅速な契約の成立が可能となる。また、家相・風水診断を設計の初期段階である敷地情報入力後から行うことができ、設計者の家相・風水に関する知識を支援することができ、手戻りが少なく効率的に住宅プランの設計作業をすすめることができる。更に、営業担当者は、家相・風水を重視する施主に対して家相・風水をふまえて住宅プランとインテリアをトータルに提案する提案書を提示することができ、安心感や幸福感といった顧客満足度の高いサービスを提供することができ、引いては受注増大につなげることができる。
【００４１】
なお、本実施の形態では、建物情報に対して家の重心計算、鬼門及び裏鬼門の算出、張り欠けの診断を行ったが、これら以外にも家相・風水に関する診断を行えるものとしてもよい。例えば、建物情報として家の外形のみならず、所用諸室の配置まで入力し、家相・風水診断用プログラム２９を家相方位３３に基づいて所用諸室の配置の吉凶に対する重みづけをして数値化できるものとし、入力した所用諸室の配置の診断結果を点数で表示するようなものとしてもよいし、施主の生年月日から家相・風水上の吉凶を診断し、住宅プランやインテリアに対して示唆を与えるようなものとしてもよい。また、営業担当者が提案書をプリンタ６から出力させたが、プリンタ６が端末機３とＬＡＮ等の通信ネットワーク７で通信可能に接続されている場合は、設計者が提案書をプリンタ６から出力させてもよい。また、設計者がＳ１０で住宅プランを入力するとともにプランニングに対するコメントを入力したが、別の項目を入力してもよいし、なくてもよい。
【図面の簡単な説明】
【００４２】
【図１】本発明の実施の形態に係る家相・風水をふまえた住宅プラン提案システムの構成例を示すブロック図である。
【図２】本発明の実施の形態に係る住宅プラン提案方法の主要ステップを示すフローチャートである。
【図３】本発明の実施の形態に係る住宅プラン提案方法の主要ステップを示すフローチャートである。
【図４】敷地情報を表示した画面を示す図である。
【図５】敷地情報に対する診断結果を表示した画面を示す図である。
【図６】建物情報を表示した画面を示す図である。
【図７】家の重心の求め方を示す説明図である。
【図８】張り欠けを示す説明図である。
【図９】建物情報に対する診断結果及び家相方位を表示した画面を示す図である。
【図１０】提案情報の所定形式を示す説明図である。
【図１１】提案情報を表示した画面を示す図である。
【符号の説明】
【００４３】
１    家相・風水をふまえた住宅プラン提案システム
２    サーバ
３    端末機
５    スキャナ
６    プリンタ（出力手段）
７    通信ネットワーク
２０    制御部（診断手段、編集手段）
２４    家相・風水情報データベース（第１記憶手段）
２５    ＨＤ（第２記憶手段）
２８    家相・風水診断機能付ＣＡＤプログラム
２９    提案情報編集プログラム
３０    キーボード（入力手段）
３１    マウス（入力手段）
３２    モニタ（表示手段）
【図１】
2006039710.tif 000003
【図２】
2006039710.tif 000004
【図３】
2006039710.tif 000005
【図４】
2006039710.tif 000006
【図５】
2006039710.tif 000007
【図６】
2006039710.tif 000008
【図７】
2006039710.tif 000009
【図８】
2006039710.tif 000010
【図９】
2006039710.tif 000011
【図１０】
2006039710.tif 000012
【図１１】
2006039710.tif 000013